(57)【要約】【課題】情報処理装置と端末装置とが接続するための設定を予め行わなくても、情報処理装置と端末装置とが接続し、端末装置から情報処理装置へ制御データが送信されるようにする。【解決手段】情報処理装置は、接続情報を第１の通信経路を介して端末装置へ送信し、接続情報に基づき第２の通信経路を介して自装置に接続された端末装置に対し、画像読取の動作条件を設定するための第３の画面を表す情報を送信し、端末装置上に表示された第３の画面において、動作条件が設定された場合に、当該設定された動作条件に基づき原稿を読み取り、その読取によって生成されたデータを、第２の通信経路を介して端末装置へ送信する。【選択図】図１
2018064283.tif 000002
【特許請求の範囲】
【請求項１】
第２の通信経路を介して自装置に接続するための接続情報を、当該第２の通信経路とは異なる通信経路である第１の通信経路を介して端末装置へ送信する接続情報送信手段と、
前記接続情報に基づき前記第２の通信経路を介して自装置に接続された前記端末装置に対し、自装置で原稿の画像読取を行う場合の画像読取の動作条件を設定するための画面である第３の画面を表す情報を送信する第３の送信手段と、
前記端末装置上に表示された前記第３の画面において、前記動作条件がユーザにより設定された場合に、当該設定された動作条件に基づき前記原稿を読み取って読取画像のデータを生成する生成手段と、
前記生成手段により生成された前記読取画像のデータを、前記第２の通信経路を介して前記端末装置へ送信する第４の送信手段と、
を有することを特徴とする情報処理装置。
【請求項２】
前記生成手段で生成された前記読取画像のデータを自装置内に記憶する記憶手段と、
前記第４の送信手段により前記読取画像のデータの送信が終了した後、前記記憶手段に記憶されている前記読取画像のデータを削除する削除手段と、
を更に有する、
ことを特徴とする請求項１に記載の情報処理装置。
【請求項３】
コンピュータを、
原稿を受け付ける受付手段、
第２の通信経路を介して自装置に接続するための接続情報を、当該第２の通信経路よりも低速の通信経路である第１の通信経路を介して端末装置へ送信する接続情報送信手段、
前記接続情報に基づき前記第２の通信経路を介して自装置に接続された前記端末装置に対し、自装置で画像読取を行う場合の画像読取の動作条件を設定するための画面である第３の画面を表す情報を送信する第３の送信手段、
前記端末装置上に表示された前記第３の画面において、前記動作条件がユーザにより設定された場合に、当該設定された動作条件に基づき前記原稿を読み取って読取画像のデータを生成する生成手段、
前記生成手段により生成された前記読取画像のデータを、前記第２の通信経路を介して前記端末装置へ送信する第４の送信手段、
として機能させることを特徴とするプログラム。
【発明の詳細な説明】
【技術分野】
【０００１】
本発明は、情報処理装置及びプログラムに関する。
【背景技術】
【０００２】
デスクトップパソコンを、画像の読み取り、印刷、又はファクシミリ送信を行う画像形成装置に接続することで、デスクトップパソコンと画像形成装置との間でデータの送受信を行い、画像形成装置にて画像の読み取り、印刷、又はファクシミリ送信を行っている。画像形成装置は、ＬＡＮ（Ｌｏｃａｌ  Ａｒｅａ  Ｎｅｔｗｏｒｋ）等のネットワークを介してサーバ等の他の装置に接続される場合がある。ネットワークを介してデスクトップパソコンと画像形成装置とを接続するためには、サーバの設定や各機器のアドレスの設定を事前に行う必要がある。例えば、画像形成装置にて画像を読み取り、読み取られたデータをデスクトップパソコンに送信する場合、読み取られたデータをサーバに一旦格納し、そのサーバからデスクトップパソコンにデータを送信する。この場合、ユーザは、サーバの設定やデータの送信先の設定を事前に行う必要がある。
【０００３】
また、携帯電話やＰＤＡ（Ｐｅｒｓｏｎａｌ  Ｄｉｇｉｔａｌ  Ａｓｓｉｔａｎｔ）等の端末装置は、文書データや画像データ等のデータを記憶することが可能であり、他の装置との間でデータの送受信が可能である。このような端末装置は比較的軽量であり、携帯が可能である。端末装置を画像形成装置に接続することで、端末装置と画像形成装置との間でデータの送受信を行い、画像形成装置にて画像の読み取り、印刷、又はファクシミリ送信を行いたい場合がある。
【０００４】
例えば特許文献１には、端末装置から送られた文書データや画像データ等のデータの形式を変換して印刷を行う画像入出力装置が開示されている。
【０００５】
また、特許文献２には、端末装置と画像入出力装置との間に制御装置を設けて、制御装置を介して端末装置と画像入出力装置とを接続するシステムが開示されている。制御装置と画像入出力装置とは、ＬＡＮ等のネットワークを介して接続されており、端末装置と制御装置とは、赤外線通信によって接続されている。
【０００６】
また、特許文献３には、ファックス送信等の送信処理を指示するコマンドとアドレスデータとを端末装置から印刷装置に送信し、指定されたアドレスに対して送信処理を行う印刷システムが開示されている。
【０００７】
また、特許文献４には、ネットワークを介してコンテンツを取得するためのアクセス情報と印刷指示等の処理情報とを電子メールに含めて端末装置から複写機に送信するシステムが開示されている。このシステムにおいては、複写機が電子メールを解析し、インターネット等の環境からコンテンツを取得して印刷等を行う。
【先行技術文献】
【特許文献】
【０００８】
【特許文献１】特開２００１−２６８３０２号公報
【特許文献２】特開２００１−３５８８８０号公報
【特許文献３】特開２００６−０７４５６２号公報
【特許文献４】特開２００６−３２３４５６号公報
【発明の概要】
【発明が解決しようとする課題】
【０００９】
ところで、携帯可能な端末装置と画像形成装置との間でデータの送受信を行う場合も、デスクトップパソコンと同様に、ユーザは、サーバの設定や各機器のアドレスの設定を事前に行う必要がある。例えば、画像形成装置にて画像を読み取り、読み取られたデータを端末装置に送信する場合、読み取られたデータをサーバに一旦格納し、そのサーバから端末装置にデータを送信する。この場合、ユーザは、デスクトップパソコンと同様に、サーバの設定やデータの送信先の設定を事前に行う必要がある。
【００１０】
本発明の目的は、情報処理装置と端末装置とが接続するための設定を予め行わなくても、情報処理装置と端末装置とが接続し、端末装置から情報処理装置へ制御データが送信されるようにすることである。
【課題を解決するための手段】
【００１１】
請求項１に記載の発明は、第２の通信経路を介して自装置に接続するための接続情報を、当該第２の通信経路とは異なる通信経路である第１の通信経路を介して端末装置へ送信する接続情報送信手段と、前記接続情報に基づき前記第２の通信経路を介して自装置に接続された前記端末装置に対し、自装置で原稿の画像読取を行う場合の画像読取の動作条件を設定するための画面である第３の画面を表す情報を送信する第３の送信手段と、前記端末装置上に表示された前記第３の画面において、前記動作条件がユーザにより設定された場合に、当該設定された動作条件に基づき前記原稿を読み取って読取画像のデータを生成する生成手段と、前記生成手段により生成された前記読取画像のデータを、前記第２の通信経路を介して前記端末装置へ送信する第４の送信手段と、を有することを特徴とする情報処理装置である。
【００１２】
請求項２に記載の発明は、前記生成手段で生成された前記読取画像のデータを自装置内に記憶する記憶手段と、前記第４の送信手段により前記読取画像のデータの送信が終了した後、前記記憶手段に記憶されている前記読取画像のデータを削除する削除手段と、を更に有する、ことを特徴とする請求項１に記載の情報処理装置である。
【００１３】
請求項３に記載の発明は、コンピュータを、原稿を受け付ける受付手段、第２の通信経路を介して自装置に接続するための接続情報を、当該第２の通信経路よりも低速の通信経路である第１の通信経路を介して端末装置へ送信する接続情報送信手段、前記接続情報に基づき前記第２の通信経路を介して自装置に接続された前記端末装置に対し、自装置で画像読取を行う場合の画像読取の動作条件を設定するための画面である第３の画面を表す情報を送信する第３の送信手段、前記端末装置上に表示された前記第３の画面において、前記動作条件がユーザにより設定された場合に、当該設定された動作条件に基づき前記原稿を読み取って読取画像のデータを生成する生成手段、前記生成手段により生成された前記読取画像のデータを、前記第２の通信経路を介して前記端末装置へ送信する第４の送信手段、として機能させることを特徴とするプログラムである。
【発明の効果】
【００１４】
請求項１乃至３に係る発明によると、情報処理装置と端末装置とが接続するための設定を予め行わなくても、情報処理装置と端末装置とが接続し、端末装置から情報処理装置へ制御データを送信することができる。
【図面の簡単な説明】
【００１５】
【図１】本発明の実施形態に係る画像形成システムを示すブロック図である。
【図２】端末装置に表示されるユーザインターフェースの一例を示す図である。
【図３】端末装置に表示されるユーザインターフェースの一例を示す図である。
【図４】画像形成装置に表示されるユーザインターフェースの一例を示す図である。
【図５】画像形成装置に表示されるユーザインターフェースの一例を示す図である。
【図６】画像形成装置に表示されるユーザインターフェースの一例を示す図である。
【図７】画像形成装置に表示されるユーザインターフェースの一例を示す図である。
【図８】画像形成装置が行う処理の手順を示すフローチャートである。
【図９】画像形成装置が行う処理の手順を示すフローチャートである。
【図１０】画像形成装置と端末装置とが行う処理の手順を示すフローチャートである。
【図１１】画像形成装置と端末装置とが行う処理の手順を示すフローチャートである。
【発明を実施するための形態】
【００１６】
図１を参照して、本発明の実施形態に係る情報処理装置、及び情報処理システムについて説明する。図１に、本発明の実施形態に係る画像形成システムの一例を示す。画像形成システム１は、画像形成装置２と端末装置４とを含んで構成されている。画像形成装置２と端末装置４とは、第１通信経路５及び第２通信経路６を介してデータの送受信を行う。本発明の実施形態に係る情報処理装置は、一例として画像形成装置２によって実現され、情報処理システムは、一例として画像形成装置２と端末装置４とによって実現される。以下では、情報処理装置の一例としての画像形成装置２について説明する。
【００１７】
（画像形成装置２）
画像形成装置２は、受信したデータを印刷する機能、及び紙の原稿を読み取って電子的な文書データへと変換する機能、のうちの少なくとも一方を備えた装置である。例えば、複写機、プリンタ、スキャナ、ファクシミリなどの機能を兼ね備えたデジタル複合機がその一例である。ただし、これに限られるものではなく、スキャナ機能を備えないプリンタや、印刷機能を備えないスキャナなどもこの実施形態の画像形成装置の範疇に含まれる。画像形成装置２は、一例として、原稿上の画像を読み取る画像読取部２１と、用紙上へ画像を印刷する印刷部２２と、画像をファクシミリ送信するファクシミリ送信部２３とを備えている。また、画像形成装置２は、原稿上の画像を画像読取部２１によって読み取り、この読み取った画像を用紙上へ印刷部２２によって印刷することで、原稿上の画像を用紙上へ複写する複写機能を備えていてもよい。画像形成装置２は、例えば、オフィス、コンビニエンスストア、図書館、ホテル、又はマンション等の場所に置かれる。
【００１８】
（端末装置４）
端末装置４は、携帯電話やＰＤＡ等の携帯可能な装置である。端末装置４は、文書データや画像データ等の入出力データを記憶する記憶部４３を備えている。文書データは、例えば、端末装置４において文書作成アプリケーションによって作成されたデータであって￥もよいし、他の装置において作成されて通信等を介して端末装置４に送信されたデータであってもよい。また、画像データは、例えば、デジタルカメラ等のカメラ４４によって撮影されたデータであってもよいし、他のカメラによって撮影されて通信等を介して端末装置４に送信されたデータであってもよいし、画像形成装置２又は他の画像読取装置によって読み取られて通信等を介して端末装置４に送信されたデータであってもよい。以下では、入出力データには、文書データ及び画像データが含まれるものとして説明する。
【００１９】
（第１通信経路５）
第１通信経路５は、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等のネットワークとは異なる通信経路であり、画像形成装置２と端末装置４とを直接接続するための通信経路である。第１通信経路５は、いわゆるピアツーピア（Ｐｅｅｒ  ｔｏ  Ｐｅｅｒ：Ｐ２Ｐ）による通信経路である。例えば、第１通信経路５は、赤外線や電波による通信経路を含む。具体的には、第１通信経路５は、無線データ通信、又はＩＣカードを用いたデータ通信によって実現される。無線データ通信としては、例えば、赤外線による無線データ通信（Ｉｎｆｒａｒｅｄ  Ｄａｔａ  Ａｓｓｏｃｉａｔｉｏｎ：ＩｒＤＡ）や、Ｂｌｕｅｔｏｏｔｈ（登録商標）等が該当する。ＩＣカードを用いたデータ通信としては、Ｆｅｌｉｃａ（登録商標）等の非接触型ＩＣカードによるデータ通信が該当する。
【００２０】
（第２通信経路６）
第２通信経路６は、例えば、ＬＡＮやＷＡＮ等のネットワークで構成されている。第２通信経路６による画像形成装置２と端末装置４との接続は、ケーブルによる接続、Ｗｉ−Ｆｉ（登録商標）等の無線データ通信による接続、又は、Ｇ３の通信規格による接続であってもよい。第２通信経路６は、第１通信経路５よりも高速の通信経路である。
【００２１】
画像形成装置２は、一例として、画像読取部２１と、印刷部２２と、ファクシミリ送信部２３と、ＵＩ提供部２４（ユーザインターフェース提供部２４）と、第１送受信部２５と、第２送受信部２６と、記憶部２７と、ＵＩ部２８（ユーザインターフェース部２８）と、課金部２９と、認証部３０と、制御部３１とを備えている。また、端末装置４は、一例として、第１送受信部４１と、第２送受信部４２と、記憶部４３と、カメラ４４と、ＵＩ部４５（ユーザインターフェース部４５）と、制御部４６とを備えている。
【００２２】
（画像読取部２１、印刷部２２、ファクシミリ送信部２３）
画像読取部２１は、制御部３１の制御の下、原稿上の画像を読み取って画像を表す入出力データを生成し、この入出力データを記憶部２７に記憶させる。印刷部２２は、制御部３１の制御の下、記憶部２７に記憶されている入出力データを受け取り、この入出力データに基づいて用紙上へ画像を印刷する。ファクシミリ送信部２３は、制御部３１の制御の下、記憶部２７に記憶されている入出力データを受け取り、この入出力データに基づいて画像をファクシミリ送信する。なお、画像形成装置２は、画像読取部２１、印刷部２２、及びファクシミリ送信部２３のすべてを備えていなくてもよく、画像読取部２１、印刷部２２、及びファクシミリ送信部２３のうちの少なくとも１つを備えていればよい。
【００２３】
（ＵＩ提供部２４）
ＵＩ提供部２４は、画像読取部２１、印刷部２２、又はファクシミリ送信部２３の動作条件を、端末装置４にて設定するためのユーザインターフェース（ＵＩ）を作成する。ＵＩ提供部２４は、端末装置４のＵＩ部４５に対応したユーザインターフェースを作成する。以下では、画像読取部２１、印刷部２２、又はファクシミリ送信部２３の動作条件を設定するためのユーザインターフェースを、「設定用ユーザインターフェース」と称する場合がある。例えば、ＵＩ提供部２４は、Ｗｅｂブラウザでの表示のために、ｈｔｍｌ形式で設定用ユーザインターフェースを作成する。また、ＵＩ提供部２４は、ＪａｖａＳｃｒｉｐｔ（登録商標）等のオブジェクト指向プログラム言語によってｈｔｍｌ形式の設定用ユーザインターフェースを作成してもよい。また、ＵＩ提供部２４は、設定用ユーザインターフェースをＦｌａｓｈ（登録商標）アプリケーションとして作成することで、音声、動画、又はアニメーションを含む設定用ユーザインターフェースを作成してもよい。また、ＵＩ提供部２４は、ＵＩ提供部２４が作成した設定用ユーザインターフェースに、端末装置４が第２通信経路６を介してアクセスするための接続情報を作成する。この接続情報は、ＵＩ提供部２４が作成した設定用ユーザインターフェースに端末装置４がインターネット上でアクセスするためのアドレスデータである。このアドレスデータは、例えばＵＲＬ（Ｕｎｉｆｏｒｍ  Ｒｅｓｏｕｒｃｅ  Ｌｏｃａｔｏｒ）が該当する。端末装置４が第２通信経路６を介して画像形成装置２に接続した場合に、ＵＩ提供部２４は、第２通信経路６を介して端末装置４のＵＩ部４５に設定用ユーザインターフェースを提供する。なお、設定用ユーザインターフェースは記憶部２７に記憶されていてもよい。また、ＵＩ提供部２４は、設定用ユーザインターフェースのアドレスデータ（例えばＵＲＬ）を示す２次元バーコードを作成してもよい。この場合、ＵＩ提供部２４は、アドレスデータを示す２次元バーコードをＵＩ部２８に提供する。２次元バーコードの例として、ＱＲコード（登録商標）が該当する。なお、ＵＩ提供部２４は、画像形成装置２のＵＩ部２８にて上記動作条件を設定するためのユーザインターフェースを作成し、そのユーザインターフェースをＵＩ部２８に提供してもよい。
【００２４】
（第１送受信部２５）
画像形成装置２の第１送受信部２５は、端末装置４が第２通信経路６を介して画像形成装置２に接続するための接続情報を、第１通信経路５を介して端末装置４に送信する。例えば、第１送受信部２５は、ＵＩ提供部２４によって作成された設定用ユーザインターフェースに端末装置４が第２通信経路６を介してアクセスするためのアドレスデータ（例えばＵＲＬ）を、第１通信経路５を介して端末装置４に送信する。例えば、画像形成装置２がＬＡＮに接続されている場合、第１送受信部２５は、ＬＡＮにおける設定用ユーザインターフェースのアドレスデータ（ＵＲＬ）を、第１通信経路５を介して端末装置４に送信する。また、画像形成装置２がＷＡＮに接続されている場合、第１送受信部２５は、ＷＡＮにおける設定用ユーザインターフェースのアドレスデータ（ＵＲＬ）を、第１通信経路５を介して端末装置４に送信する。
【００２５】
例えば、第１送受信部２５と端末装置４の第１送受信部４１とが、ＩｒＤＡやＢｌｕｅｔｏｏｔｈ（登録商標）等の無線データ通信の送受信ポートで構成されている場合、第１送受信部２５は、端末装置４の第１送受信部４１との間で赤外線や電波を送受信することで第１送受信部４１と通信を行い、第１送受信部４１に接続情報を送信する。この場合、第１通信経路５は、ＩｒＤＡやＢｌｕｅｔｏｏｔｈ（登録商標）等の無線データ通信による通信経路となる。
【００２６】
また、第１送受信部２５が、Ｆｅｌｉｃａ（登録商標）等の非接触型ＩＣカードを認証するＩＣカード認証装置で構成され、端末装置４の第１送受信部４１が、非接触型ＩＣカードで構成されていてもよい。この場合、ＩＣカード認証装置としての第１送受信部２５は、非接触型ＩＣカードとしての第１送受信部４１との間で電波を送受信することで非接触型ＩＣカードと通信を行い、非接触型ＩＣカードに接続情報を送信する。
【００２７】
（第２送受信部２６）
画像形成装置２の第２送受信部２６は、端末装置４の第２送受信部４２が接続情報を用いて第２通信経路６を介して画像形成装置２に接続した場合に、第２送受信部４２との間でデータの送受信を行う。
【００２８】
例えば、第２送受信部２６は、ＵＩ提供部２４によって作成された設定用ユーザインターフェースを、第２通信経路６を介して第２送受信部４２に送信する。具体的には、端末装置４の第２送受信部４２が、画像形成装置２から送信されたＵＲＬを用いて設定用ユーザインターフェースに第２通信経路６を介してアクセスした場合、第２送受信部２６は、設定用ユーザインターフェースを、第２通信経路６を介して第２送受信部４２に送信する。
【００２９】
また、端末装置４からの指示に従って画像読取部２１によって画像が読み取られて入出力データが生成されている場合には、第２送受信部２６は、画像読取部２１によって生成された入出力データを、第２通信経路６を介して端末装置４の第２送受信部４２に送信する。また、第２送受信部２６は、印刷部２２によって印刷されるデータ、ファクシミリ送信部２３によって送信されるデータ、及び、制御データ（コマンドデータ）を、第２通信経路６を介して端末装置４の第２送受信部４２から受信する。制御データ（コマンドデータ）は、画像形成装置２における画像処理に関するコマンドを示すデータであり、一例として、画像読み取り、印刷、又はファクシミリ送信の動作条件を示すデータである。具体的には、第２送受信部２６は、第２通信経路６を介して端末装置４の第２送受信部４２から、制御データをｈｔｔｐリクエスト形式の要求として受信する。画像形成装置２にて印刷又はファクシミリ送信する場合には、第２送受信部２６は、印刷又はファクシミリ送信される入出力データを、第２通信経路６を介して端末装置４の第２送受信部４２から受信する。画像形成装置２にて画像の読み取りを行う場合には、第２送受信部２６は、画像読取部２１によって生成された入出力データを、ｈｔｔｐリクエスト形式の要求に対するｈｔｔｐレスポンス形式の応答として、第２通信経路６を介して端末装置４の第２送受信部４２に送信する。
【００３０】
（記憶部２７）
画像形成装置２の記憶部２７は、画像読取部２１によって生成された入出力データを記憶する。また、記憶部２７は、端末装置４から送信された印刷されるデータ、ファクシミリ送信されるデータ、及び、制御データ（コマンドデータ）を記憶する。
【００３１】
（ＵＩ部２８）
画像形成装置２のＵＩ部２８は表示部を有し、例えばＵＩ提供部２４から提供されたユーザインターフェースを表示する。ＵＩ部２８は、画像読取部２１、印刷部２２、又はファクシミリ送信部２３のそれぞれの動作条件に関する制御データのユーザによる入力を受け付ける。また、設定用ユーザインターフェースのアドレスデータ（例えばＵＲＬ）を示す２次元バーコードがＵＩ提供部２４によって作成されている場合、ＵＩ部２８は、その２次元バーコードを表示する。
【００３２】
（課金部２９）
画像形成装置２の課金部２９は、端末装置４を利用するユーザに対して、画像形成装置２における処理に応じた課金処理を行う。課金部２９は、制御データが示す動作条件に基づいて課金額を求める。課金部２９は、第１通信経路５又は第２通信経路６を介して端末装置４に対して課金処理を行ってもよい。例えば、第１送受信部２５がＩＣカード認証装置で構成され、端末装置４の第１送受信部４１がプリペイド機能を有する非接触型ＩＣカードで構成されている場合には、ＩＣカード認証装置が、非接触型ＩＣカードに対して課金処理を行ってもよい。なお、画像形成装置２によって課金処理を行わない場合には、画像形成装置２は、課金部２９を備えていなくてもよい。
【００３３】
（認証部３０）
画像形成装置２の認証部３０は、端末装置４から受信した認証情報に基づいて、端末装置４に対する認証処理を行う。認証情報は、端末装置４のユーザを特定するための情報であり、一例として、ユーザの氏名、ユーザＩＤ、パスワード、ユーザの生年月日等の情報を含む。例えば、認証部３０は、第１通信経路５を介して認証情報の要求を端末装置４に送信し、その要求に応じた認証情報を第１通信経路５を介して端末装置４から取得する。認証部３０は、端末装置４から取得した認証情報と、画像形成装置２に予め登録されている認証情報とを照合することにより認証処理を行う。認証部３０は、認証の結果を制御部３１に出力する。認証部３０によって端末装置４のユーザが認証された場合、制御部３１は第１送受信部２５に対して接続情報の送信を許可し、第１送受信部２５は、第１通信経路５を介して接続情報を端末装置４の第１送受信部４１に送信する。認証部３０によって端末装置４のユーザが認証されなかった場合、制御部３１は接続情報の送信を禁止し、第１送受信部２５は、接続情報を端末装置４の第１送受信部４１に送信しない。例えば、第１送受信部２５がＩＣカード認証装置によって構成されている場合には、そのＩＣカード認証装置によって認証処理を行ってもよい。第１送受信部４１としての非接触型ＩＣカードに認証情報が記憶されている場合、第１送受信部２５としてのＩＣカード認証装置は、非接触型ＩＣカードから認証情報を取得して認証処理を行ってもよい。なお、画像形成装置２によって認証処理を行わない場合には、画像形成装置２は、認証部３０を備えていなくてもよい。
【００３４】
（制御部３１）
画像形成装置２の制御部３１は、画像形成装置２の各部の動作を制御する。例えば、制御部３１は、端末装置４の第２送受信部４２から送信された制御データ（コマンドデータ）を受け取り、この制御データに基づいて、画像読取部２１、印刷部２２、又はファクシミリ送信部２３の動作を制御する。具体的には、制御部３１は、端末装置４の第２送受信部４２から送信されたｈｔｔｐリクエスト形式の要求を受け取り、その要求の内容を解析し、画像読取部２１、印刷部２２、又はファクシミリ送信部２３の動作を制御する。
【００３５】
（第１送受信部４１）
端末装置４の第１送受信部４１は、端末装置４が第２通信経路６を介して画像形成装置２に接続するための接続情報を、第１通信経路５を介して画像形成装置２から受信する。例えば、第１送受信部４１は、画像形成装置２のＵＩ提供部２４によって作成された設定用ユーザインターフェースに端末装置４が第２通信経路６を介してアクセスするためのアドレスデータ（例えばＵＲＬ）を、第１通信経路５を介して画像形成装置２から受信する。第１送受信部４１によって受信されたアドレスデータは、端末装置４の記憶部４３に記憶される。
【００３６】
例えば、第１送受信部４１と画像形成装置２の第１送受信部２５とが、ＩｒＤＡやＢｌｕｅｔｏｏｔｈ（登録商標）等の無線データ通信の送受信ポートで構成されている場合、第１送受信部４１は、画像形成装置２の第１送受信部２５との間で赤外線や電波を送受信することで第１送受信部２５と通信を行い、第１送受信部２５から接続情報を受信する。
【００３７】
また、第１送受信部４１が、Ｆｅｌｉｃａ（登録商標）等の非接触型ＩＣカードで構成され、画像形成装置２の第１送受信部２５が、ＩＣカード認証装置で構成されていてもよい。この場合、非接触型ＩＣカードとしての第１送受信部４１は、ＩＣカード認証装置としての第１送受信部２５との間で電波を送受信することでＩＣカード認証装置と通信を行い、ＩＣカード認証装置から接続情報を受信する。
【００３８】
（第２送受信部４２）
端末装置４の第２送受信部４２は、第１送受信部４１が受信した接続情報を用いて、第２通信経路６を介して画像形成装置２に接続し、画像形成装置２の第２送受信部２６との間で第２通信経路６を介してデータの送受信を行う。
【００３９】
例えば、第２送受信部４２は、画像形成装置２のＵＩ提供部２４によって作成された設定用ユーザインターフェースを、第２通信経路６を介して画像形成装置２の第２送受信部２６から受信する。具体的には、ユーザは端末装置４上でＷｅｂブラウザを起動する。Ｗｅｂブラウザのプログラムは、記憶部４３に予め記憶されている。ユーザがＵＩ部４５を用いてＷｅｂブラウザの起動の指示を与えると、制御部４６は、ユーザからの指示に従ってＷｅｂブラウザを起動し、ＵＩ部４５の表示部に初期画面を表示させる。そして、第２送受信部４２は、第１送受信部４１が受信したアドレスデータ（ＵＲＬ）を用いて設定用ユーザインターフェースに第２通信経路６を介してアクセスする。これ以降、画像形成装置２の第２送受信部２６、第２通信経路６、及び端末装置４の第２送受信部４２を介して、設定用ユーザインターフェースが、画像形成装置２のＵＩ提供部２４から端末装置４のＵＩ部４５に提供される。端末装置４のＷｅｂブラウザは、画像形成装置２から受信したユーザインターフェースを表示する。また、第１送受信部４１が第１送受信部２５からアドレスデータ（ＵＲＬ）を受信した場合に、制御部４６は、ユーザからの指示を待たずに自動的にＷｅｂブラウザを起動し、第２送受信部４２は、アドレスデータ（ＵＲＬ）を用いて設定用ユーザインターフェースに第２通信経路６を介してアクセスしてもよい。
【００４０】
また、第２送受信部４２は、画像形成装置２の印刷部２２によって印刷されるデータ、画像形成装置２のファクシミリ送信部２３によって送信されるデータ、及び、制御データ（コマンドデータ）を、第２通信経路６を介して画像形成装置２の第２送受信部２６に送信する。また、端末装置４からの指示に従って画像読取部２１によって画像が読み取られて入出力データが生成されている場合には、第２送受信部４２は、画像読取部２１によって生成された入出力データを、第２通信経路６を介して画像形成装置２の第２送受信部２６から受信する。
【００４１】
具体的には、ユーザは、ＵＩ部４５に表示された設定用ユーザインターフェースにおいて、画像読取部２１、印刷部２２、又はファクシミリ送信部２３の動作条件に関する制御データ（コマンドデータ）を入力する。第２送受信部４２は、第２通信経路６を介して画像形成装置２の第２送受信部２６に、制御データをｈｔｔｐリクエスト形式の要求として送信する。画像形成装置２にて印刷又はファクシミリ送信する場合には、第２送受信部４２は、印刷又はファクシミリ送信されるデータを、第２通信経路６を介して画像形成装置２の第２送受信部２６に送信する。なお、印刷又はファクシミリ送信されるデータは、ＵＩ部４５を用いてユーザによって指定される。画像形成装置２にて画像の読み取りを行う場合には、第２送受信部４２は、ｈｔｔｐリクエスト形式の要求に対するｈｔｔｐレスポンス形式の応答として、画像読取部２１によって生成された入出力データを、第２通信経路６を介して画像形成装置２の第２送受信部２６から受信する。
【００４２】
（記憶部４３）
端末装置４の記憶部４３は、文書データや画像データ等の入出力データを記憶する。例えば、記憶部４３は、画像形成装置２の画像読取部２１によって生成された入出力データや、画像形成装置２にて印刷又はファクシミリ送信される入出力データを記憶する。
【００４３】
（カメラ４４）
端末装置４はカメラ４４を備えていてもよい。カメラ４４は、例えばデジタルカメラである。設定用ユーザインターフェースのアドレスデータ（例えばＵＲＬ）を示す２次元バーコードが画像形成装置２のＵＩ部２８に表示されている場合、端末装置４のユーザは、ＵＩ部２８に表示されている２次元バーコードをカメラ４４によって撮影してもよい。２次元バーコードを表す画像データは、カメラ４４から制御部４６に出力される。制御部４６は２次元バーコードを解析することにより、設定用ユーザインターフェースのアドレスデータ（例えばＵＲＬ）を取得する。なお、端末装置４は、カメラ４４を備えていなくてもよい。
【００４４】
（ＵＩ部４５）
端末装置４のＵＩ部４５は表示部を有し、画像形成装置２のＵＩ提供部２４から提供された設定用ユーザインターフェースを表示する。ＵＩ部４５は、画像形成装置２の画像読取部２１、印刷部２２、又はファクシミリ送信部２３のそれぞれの動作条件に関する制御データのユーザによる入力を受け付ける。また、ＵＩ部４５は、画像形成装置２の画像読取部２１によって読み取られた入出力データが表す画像を表示してもよい。
【００４５】
画像読取部２１、印刷部２２、又はファクシミリ送信部２３の動作条件に関する制御データ（コマンドデータ）には、例えば以下の情報が含まれる。制御データには、画像読み取り、印刷、及びファクシミリ送信のうち、ユーザによって選択された機能を示す情報が含まれる。画像読取部２１によって画像の読み取りを行う場合には、例えば、解像度、濃度、モノクロ／カラーの選択、原稿サイズ、読み取られた画像データのファイル名等の画像読取条件に関する情報が制御データに含まれる。また、印刷部２２によって印刷を行う場合には、例えば、解像度、濃度、モノクロ／カラーの選択、用紙サイズ、印刷部数、印刷対象のデータのファイル名等の印刷条件に関する情報が制御データに含まれる。また、ファクシミリ送信部２３によってファクシミリ送信を行う場合には、例えば、解像度、濃度、送信先の電話番号、送信対象のデータのファイル名等のファクシミリ送信条件に関する情報が制御データに含まれる。
【００４６】
（制御部４６）
端末装置４の制御部４６は、端末装置４の各部の動作を制御する。
【００４７】
次に、図２及び図３を参照して、画像形成装置２のＵＩ提供部２４が提供する設定用ユーザインターフェースについて説明する。図２及び図３は、端末装置に表示されるユーザインターフェースの一例を示す図である。
【００４８】
上述したように、ユーザが端末装置４上でＷｅｂブラウザを起動し、第２送受信部４２がＵＲＬを用いて第２通信経路６を介して設定用ユーザインターフェースにアクセスする。これ以降、第２送受信部２６、第２通信経路６、及び第２送受信部４２を介して、設定用ユーザインターフェースが、画像形成装置２のＵＩ提供部２４から端末装置４のＵＩ部４５に提供される。
【００４９】
図２に、端末装置４のＵＩ部４５に表示されるメイン画面１００の一例を示す。このメイン画面１００は、画像形成装置２の機能をユーザが選択するための画面である。メイン画面１００は、第２通信経路６を介して画像形成装置２のＵＩ提供部２４から端末装置４のＵＩ部４５に提供されて表示される。ユーザは、メイン画面１００において、「スキャン（画像読み取り）」、「プリント（印刷）」、「ファクシミリ送信」、及び「ボックス操作」のうちのいずれかの項目を、ＵＩ部４５を用いて指定する。画像形成装置２によって画像を読み取る場合、ユーザは「スキャン（画像読み取り）」を指定する。端末装置４に記憶された文書データや画像データ等の入出力データを画像形成装置２によって印刷する場合、ユーザは「プリント（印刷）」を指定する。端末装置４に記憶された文書データや画像データ等の入出力データを画像形成装置２によってファクシミリ送信する場合、ユーザは「ファクシミリ送信」を指定する。なお、図２に示す「ボックス操作」は、画像形成装置２の記憶部２７に入出力データを保存する機能、及び、画像形成装置２の記憶部２７から入出力データを取得する機能である。画像形成装置２に入出力データを保存する場合、又は、画像形成装置２から入出力データを取得する場合、ユーザは「ボックス操作」を指定する。
【００５０】
図３に、端末装置４のＵＩ部４５に表示されるスキャン設定画面１１０の一例を示す。図２に示すメイン画面１００において「スキャン（画像読み取り）」が指定されると、図３に示すスキャン設定画面１１０が、第２通信経路６を介して画像形成装置２のＵＩ提供部２４から端末装置４のＵＩ部４５に提供されて表示される。スキャン設定画面１１０には、一例として、カラーで画像を読み取るか否かを指定する項目「カラーモード」、原稿の両面を読み取るか否かを指定する項目「両面原稿送り」、原稿の種類を指定する項目「原稿の種類」、及び、解像度を指定する項目「読み取り解像度」が表示されている。ユーザは、スキャン設定画面１１０において、各項目における条件を入力する。スキャン設定画面１１０においてユーザによって入力された情報が、制御データに含まれる。画像読取条件の設定が終了すると、ユーザは、端末装置４のＵＩ部４５で「開始」ボタンを選択する。「開始」ボタンが選択されると、端末装置４の第２送受信部４２は、第２通信経路６を介して画像形成装置２に、制御データをｈｔｔｐリクエスト形式の要求として送信する。
【００５１】
また、図２に示すメイン画面１００で「プリント（印刷）」が指定されると、印刷設定画面が、第２通信経路６を介して画像形成装置２のＵＩ提供部２４から端末装置４のＵＩ部４５に提供されて表示される。ユーザは、印刷設定画面において、解像度、濃度、モノクロ／カラーの選択、用紙サイズ、印刷部数、印刷対象のデータのファイル名等の印刷条件を入力する。印刷設定画面においてユーザによって入力された情報が、制御データに含まれる。印刷条件の設定が終了すると、ユーザは、端末装置４のＵＩ部４５で「開始」ボタンを選択する。「開始」ボタンが選択されると、端末装置４の第２送受信部４２は、第２通信経路６を介して画像形成装置２に、制御データをｈｔｔｐリクエスト形式の要求として送信する。また、第２送受信部４２は、印刷対象のデータを第２通信経路６を介して画像形成装置２に送信する。印刷対象のデータは、画像形成装置２の記憶部２７に記憶される。
【００５２】
また、図２に示すメイン画面１００で「ファクシミリ送信」が指定されると、ファクシミリ送信設定画面が、第２通信経路６を介して画像形成装置２のＵＩ提供部２４から端末装置４のＵＩ部４５に提供されて表示される。ユーザは、ファクシミリ送信設定画面において、解像度、濃度、送信先の電話番号、送信対象のデータのファイル名等のファクシミリ送信条件を入力する。ファクシミリ送信設定画面においてユーザによって入力された情報が、制御データに含まれる。ファクシミリ送信条件の設定が終了すると、ユーザは、端末装置４のＵＩ部４５で「開始」ボタンを選択する。「開始」ボタンが選択されると、端末装置４の第２送受信部４２は、第２通信経路６を介して画像形成装置２に、制御データをｈｔｔｐリクエスト形式の要求として送信する。また、第２送受信部４２は、ファクシミリ送信対象のデータを第２通信経路６を介して画像形成装置２に送信する。ファクシミリ送信対象のデータは、画像形成装置２の記憶部２７に記憶される。
【００５３】
次に、図４から図７を参照して、画像形成装置２のＵＩ部２８に表示されるユーザインターフェースについて説明する。図４から図７は、画像形成装置に表示されるユーザインターフェースの一例を示す図である。ＵＩ部２８は、例えばＵＩ提供部２４によって作成されたユーザインターフェースを表示する。図４に、画像形成装置２のＵＩ部２８に表示されるメイン画面１２０の一例を示す。このメイン画面１２０は、画像形成装置２の機能をユーザが選択するための画面である。ユーザは、メイン画面１２０において、「コピー（複写）」、「スキャン（メール送信）」、「スキャン（ＰＣ保存）」、「ファクシミリ送信」等の項目を指定する。例えば、画像読取部２１によって画像を読み取って、生成された入出力データをパーソナルコンピュータ（ＰＣ）に送信する場合には、ユーザはＵＩ部２８を用いて「スキャン（ＰＣ保存）」を指定する。「スキャン（ＰＣ保存）」がユーザによって指定されると、例えば図５に示す保存先設定画面１３０が、ＵＩ部２８に表示される。ユーザは、保存先設定画面１３０において、一例として、サーバを特定する情報、保存場所を特定する情報、ユーザ名、及びパスワードを入力する。また、画質調整を行う場合には、例えば図６に示す画質調整画面１４０がＵＩ部２８に表示される。ユーザは、画質調整画面１４０において、一例として「読み取り解像度」や「読み取りサイズ」等の項目を設定する。画像読取条件の設定が終了すると、ユーザは、ＵＩ部２８で「開始」ボタンを選択する。「開始」ボタンが選択されると、画像読取部２１は、原稿の画像を読み取って、その画像を表す入出力データを生成する。生成された入出力データは、保存先設定画面１３０にて設定された保存先に通信等によって送信される。
【００５４】
次に、図７を参照して、ＵＩ提供部２４によって２次元バーコードが生成される場合のユーザインターフェースについて説明する。ＵＩ部２８は、ＵＩ提供部２４によって作成されたユーザインターフェースを表示する。図７に、画像形成装置２のＵＩ部２８に表示されるメイン画面１５０の一例を示す。このメイン画面１５０は、図４に示すメイン画面１２０と同様に、画像形成装置２の機能をユーザが選択するための画面である。ユーザは、メイン画面１５０において、「コピー（複写）」、「スキャン（メール送信）」、「スキャン（ＰＣ保存）」、「ファクシミリ送信」等の項目を指定する。また、このメイン画面１５０には、２次元バーコード１５１が表示されている。この２次元バーコード１５１は、設定用ユーザインターフェースのアドレスデータ（例えばＵＲＬ）を示す情報であり、ＵＩ提供部２４によって作成された情報である。カメラ４４を備えた端末装置４のユーザが、ＵＩ部２８に表示されている２次元バーコード１５１をカメラ４４によって撮影すると、端末装置４は、設定用ユーザインターフェースに接続するためのアドレスデータを取得する。なお、２次元バーコードは、ＵＩ部２８に表示されずに、画像形成装置２の筐体に描かれていてもよい。
【００５５】
次に、図８から図１１を参照して、画像形成システム１の動作及びユーザによる使用例について説明する。図８及び図９は、画像形成装置が行う処理の手順を示すフローチャートである。図１０及び図１１は、画像形成装置と端末装置とが行う処理の手順を示すフローチャートである。
【００５６】
まず、図８を参照して、端末装置４が、設定用ユーザインターフェースのアドレスデータを取得するまでの処理について説明する。一例として、画像形成装置２によって画像を読み取る場合について説明する。画像形成装置２によって画像を読み取る場合には、端末装置４を携帯するユーザは、原稿を持って画像形成装置２が設置されている場所に行く。
【００５７】
画像形成装置２は、第１通信経路５を介して端末装置４から信号が送られて第１送受信部２５がその信号を検出するまで待機する（ステップＳ０１）。そして、画像形成装置２の第１送受信部２５は、端末装置４の第１送受信部４１から第１通信経路５を介して送られた信号を検出すると（ステップＳ０１、Ｙｅｓ）、第１通信経路５を介して端末装置４の第１送受信部４１との通信を確立する（ステップＳ０２）。そして、第１送受信部２５は、設定用ユーザインターフェースに接続するためのアドレスデータ（例えばＵＲＬ）を、第１通信経路５を介いて端末装置４の第１送受信部４１に送信する（ステップＳ０３）。これにより、端末装置４は、設定用ユーザインターフェースに接続するためのアドレスデータを取得する。
【００５８】
例えば、第１送受信部２５と第１送受信部４１とが、ＩｒＤＡやＢｌｕｅｔｏｏｔｈ（登録商標）等の無線データ通信の送受信ポートで構成されている場合、ユーザは、端末装置４の第１送受信部４１（送受信ポート）を、画像形成装置２の第１送受信部２５（送受信ポート）に近づける。第１送受信部２５は、第１送受信部４１との間で赤外線や電波を送受信することで第１送受信部４１と通信を行い、設定用ユーザインターフェースに接続するためのアドレスデータを第１送受信部４１に送信する。
【００５９】
また、端末装置４の第１送受信部４１が非接触型ＩＣカードで構成され、画像形成装置２の第１送受信部２５がＩＣカード認証装置で構成されている場合、ユーザは、非接触型ＩＣカードが内蔵された端末装置４を、画像形成装置２に設けられたＩＣカード認証装置に近づける。ＩＣカード認証装置としての第１送受信部２５は、非接触型ＩＣカードとしての第１送受信部４１との間で電波を送受信することで第１送受信部４１と通信を行い、設定用ユーザインターフェースに接続するためのアドレスデータを第１送受信部４１に送信する。
【００６０】
また、第１通信経路５を介して認証部３０によって認証処理を行ってもよい。例えば、非接触型ＩＣカードとＩＣカード認証装置とを用いて、端末装置４と画像形成装置２との間で通信を行う場合、ＩＣカード認証装置が端末装置４の非接触型ＩＣカードから認証情報を取得し、端末装置４のユーザの認証処理を行ってもよい。認証部３０によって端末装置４のユーザが認証された場合、第１送受信部２５は、設定用ユーザインターフェースのアドレスデータを第１通信経路５を介して第１送受信部４１に送信する。
【００６１】
また、課金部２９によって課金処理を行ってもよい。例えば、プリペイド機能を有する非接触型ＩＣカードを用いる場合には、ＩＣカード認証装置が非接触型ＩＣカードに対して課金処理を行ってもよい。
【００６２】
第１送受信部２５は、設定用ユーザインターフェースに接続するためのアドレスデータを第１送受信部４１に送信した後、第１送受信部４１との通信を切断する（ステップＳ０４）。
【００６３】
なお、図７に示すように、画像形成装置２のＵＩ部２８に２次元バーコード１５１が表示されている場合、ユーザは端末装置４のカメラ４４によって２次元バーコード１５１を撮影してもよい。端末装置４の制御部４６は、撮影された２次元バーコードを解析することにより、設定用ユーザインターフェースに接続するためのアドレスデータを取得する。
【００６４】
次に、図９を参照して、端末装置４が、設定用ユーザインターフェースを取得するまでの処理について説明する。画像形成装置２は、第２通信経路６を介して端末装置４からアクセスされるまで待機する（ステップＳ１０）。端末装置４にて設定用ユーザインターフェースを表示するために、ユーザは端末装置４上でＷｅｂブラウザを起動する。第２送受信部４２は、画像形成装置２から取得したアドレスデータ（例えばＵＲＬ）に第２通信経路６（ＬＡＮ等のネットワーク）を介してアクセスする。画像形成装置２の第２送受信部２６は、第２通信経路６を介して端末装置４からアクセスされると（ステップＳ１０、Ｙｅｓ）、設定用ユーザインターフェースを第２通信経路６を介して第２送受信部４２に送信する（ステップＳ１１）。これにより、端末装置４は、設定用ユーザインターフェースを取得する。
【００６５】
次に、図１０を参照して、画像形成装置２にて画像を読み取る場合について説明する。
【００６６】
端末装置４のＵＩ部４５は、画像形成装置２から送信された設定用ユーザインターフェースを表示する（ステップＳ２１）。ユーザは、ＵＩ部４５に表示されている設定用ユーザインターフェースにおいて、画像読み取りの条件を入力する（ステップＳ２２）。例えば、ＵＩ部４５は、図２に示すメイン画面１００を表示する。画像形成装置２によって画像を読み取る場合、ユーザは、メイン画面１００において「スキャン（画像読み取り）」を指定する。ユーザによって「スキャン（画像読み取り）」が指定されると、ＵＩ部４５は、例えば図３に示すスキャン設定画面１１０を表示する。ユーザは、スキャン設定画面１１０において画像読み取りの条件を入力する。そして、ユーザは、原稿を画像読取部２１に置く。ユーザがＵＩ部４５で「開始」ボタンを選択すると、第２送受信部４２は、第２通信経路６を介して画像形成装置２に、画像読み取りの条件を含む制御データをｈｔｔｐリクエスト形式の要求として送信する（ステップＳ２３）。
【００６７】
画像形成装置２の第２送受信部２６は、第２通信経路６を介して端末装置４の第２送受信部４２から、制御データをｈｔｔｐリクエスト形式の要求として受信する（ステップＳ２４）。画像形成装置２の制御部３１は、ｈｔｔｐリクエスト形式の要求の内容を解析し、画像読取部２１に画像読み取りの指示を出力する。画像読取部２１は、制御部３１の制御の下、原稿の画像を読み取り、その画像を表す入出力データを生成する（ステップＳ２５）。画像読取部２１によって生成された入出力データは、画像形成装置２の記憶部２７に記憶される。そして、画像形成装置２の第２送受信部２６は、ｈｔｔｐリクエスト形式の要求に対するｈｔｔｐレスポンス形式の応答として、画像読取部２１によって生成された入出力データを、第２通信経路６を介して端末装置４の第２送受信部４２に送信する（ステップＳ２６）。端末装置４の第２送受信部４２は、ｈｔｔｐリクエスト形式の要求に対するｈｔｔｐレスポンス形式の応答として、画像読取部２１によって生成された入出力データを、第２通信経路６を介して画像形成装置２の第２送受信部２６から受信する（ステップＳ２７）。
【００６８】
端末装置４のＵＩ部４５は、画像形成装置２から送信された入出力データが表す画像を表示してもよい。また、端末装置４の記憶部４３は、画像形成装置２から送信された入出力データを記憶してもよい。例えば、ユーザが、端末装置４のＵＩ部４５によって、画像の表示、又は入出力データの保存を指示してもよい。なお、画像形成装置２の記憶部２７に記憶された入出力データは、端末装置４に送信された後に削除される。
【００６９】
また、課金部２９は、制御データが示す画像読み取りの条件に基づいて課金額を求め、第１通信経路５又は第２通信経路６を介して端末装置４に対して課金処理を行ってもよい。
【００７０】
次に、図１１を参照して、画像形成装置２にて印刷を行う場合について説明する。
【００７１】
端末装置４のＵＩ部４５は、画像形成装置２から送信された設定用ユーザインターフェースを表示する（ステップＳ３１）。ユーザは、ＵＩ部４５に表示されている設定用ユーザインターフェースにおいて、印刷の条件を入力する（ステップＳ３２）。例えば、ＵＩ部４５は、図２に示すメイン画面１００を表示する。画像形成装置２によって入出力データを印刷しようとする場合は、ユーザは「プリント（印刷）」を指定する。ユーザによって「プリント（印刷）」が指定されると、ＵＩ部４５は、印刷設定画面を表示する。ユーザは、印刷設定画面において印刷の条件を入力する。また、ユーザは、ＵＩ部４５にて、印刷対象の入出力データを指定する。ユーザがＵＩ部４５で「開始」ボタンを選択すると、第２送受信部４２は、第２通信経路６を介して画像形成装置２に、印刷の条件を含む制御データをｈｔｔｐリクエスト形式の要求として送信する（ステップＳ３３）。また、第２送受信部４２は、ユーザによって指定された印刷対象の入出力データを、第２通信経路６を介して画像形成装置２に送信する（ステップＳ３３）。
【００７２】
画像形成装置２の第２送受信部２６は、第２通信経路６を介して端末装置４の第２送受信部４２から、制御データをｈｔｔｐリクエスト形式の要求として受信する（ステップＳ３４）。また、第２送受信部２６は、印刷対象の入出力データを第２通信経路６を介して第２送受信部４２から受信する（ステップＳ３４）。印刷対象の入出力データは、画像形成装置２の記憶部２７に記憶される。画像形成装置２の制御部３１は、ｈｔｔｐリクエスト形式の要求の内容を解析し、印刷部２２に印刷の指示を出力する。印刷部２２は、制御部３１の制御の下、入出力データに基づいて用紙上に画像を印刷する（ステップＳ３５）。なお、画像形成装置２の記憶部２７に記憶された入出力データは、印刷が終了した後に削除される。また、課金部２９は、制御データが示す印刷の条件に基づいて課金額を求め、第１通信経路５又は第２通信経路６を介して端末装置４に対して課金処理を行ってもよい。
【００７３】
また、ファクシミリ送信する場合の動作は、印刷を行う場合の動作とほぼ同じである。例えば、ユーザは、図２に示すメイン画面１００において「ファクシミリ送信」を指定する。ユーザによって「ファクシミリ送信」が指定されると、ＵＩ部４５は、ファクシミリ送信設定画面を表示する。ユーザは、ファクシミリ送信設定画面において、ファクシミリ送信先を含むファクシミリ送信の条件を入力する。ユーザがＵＩ部４５で「開始」ボタンを選択すると、第２送受信部４２は、第２通信経路６を介して画像形成装置２に、ファクシミリ送信の条件を含む制御データをｈｔｔｐリクエスト形式の要求として送信する。また、第２送受信部４２は、ユーザによって指定されたファクシミリ送信対象の入出力データを、第２通信経路６を介して画像形成装置２に送信する。ファクシミリ送信対象の入出力データは、画像形成装置２の記憶部２７に記憶される。画像形成装置２の制御部３１は、ｈｔｔｐリクエスト形式の要求の内容を解析し、ファクシミリ送信部２３にファクシミリ送信の指示を出力する。ファクシミリ送信部２３は、制御部３１の制御の下、入出力データに基づいて画像をファクシミリ送信する。なお、画像形成装置２の記憶部２７に記憶された入出力データは、ファクシミリ送信が終了した後に削除される。また、課金部２９は、制御データが示すファクシミリ送信の条件に基づいて課金額を求め、第１通信経路５又は第２通信経路６を介して端末装置４に対して課金処理を行ってもよい。
【００７４】
なお、端末装置４は、設定用ユーザインターフェースのアドレスデータを一度取得した後は、画像読み取り、印刷、又はファクシミリ送信の要求を画像形成装置２に対して行う度に、設定用ユーザインターフェースのアドレスデータを画像形成装置２から取得しなくてもよい。すなわち、端末装置４は、一度取得したアドレスデータを用いて設定用ユーザインターフェースにアクセスして、画像読み取り、印刷、又はファクシミリ送信の要求を画像形成装置２に対して行えばよい。
【００７５】
また、端末装置４のＵＩ部４５に表示された設定用ユーザインターフェースは、画像読み取り、印刷、又はファクシミリ送信の要求を、ユーザの音声による入力によって受け付けてもよい。また、端末装置４が、画像形成装置２の使用方法を示す情報を画像形成装置２から受信している場合、ＵＩ部４５は、その使用方法を音声や文字列によって提供してもよい。
【００７６】
以上のように、本実施形態に係る画像形成装置２は、端末装置４が第２通信経路６を介して設定用ユーザインターフェースにアクセスするためのアドレスデータを、第１通信経路５を介して端末装置４に送信する。端末装置４は、そのアドレスデータを用いて第２通信経路６を介して設定用ユーザインターフェースにアクセスし、画像読み取り、印刷、又はファクシミリ送信の要求を第２通信経路６を介して画像形成装置２に送信し、第２通信経路６を介して画像形成装置２との間で入出力データの送受信を行う。このように、第１通信経路５を介して画像形成装置２から端末装置４に送信されたアドレスデータを用いて画像形成装置２と端末装置４とが第２通信経路６を介して接続されるため、入出力データはサーバに一旦格納されずに、画像形成装置２と端末装置４との間で第２通信経路６を介して送受信される。そのため、画像形成装置２と端末装置４との間で入出力データを送受信するための設定を予め行わなくても、画像形成装置２と端末装置４との間で入出力データが送受信される。例えば、サーバの設定やデータの送信先の設定を予め行わなくても、画像形成装置２と端末装置４との間で第２通信経路６を介して入出力データが送受信される。
【００７７】
例えば、画像形成装置２は、設定用ユーザインターフェースにおいて入力された画像読み取りの要求を第２通信経路６を介して受信した場合、画像の読み取りを行い、その要求に対する応答として入出力データを第２通信経路６を介して端末装置４に送信する。このように、画像形成装置２によって生成された入出力データはサーバに一旦格納されずに、アドレスデータを用いて接続された第２通信経路６を介して端末装置４に送信される。
【００７８】
また、画像形成装置２は、設定用ユーザインターフェースにおいて入力された印刷の要求と印刷対象の入出力データとを第２通信経路６を介して受信した場合、その入出力データに基づいて印刷を行う。また、画像形成装置２は、設定用ユーザインターフェースにおいて入力されたファクシミリ送信の要求とファクシミリ送信対象の入出力データとを第２通信経路６を介して受信した場合、その入出力データに基づいてファクシミリ送信を行う。このように、入出力データはサーバに一旦格納されずに、アドレスデータを用いて接続された第２通信経路６を介して端末装置４から画像形成装置２に送信され、画像形成装置２によって印刷又はファクシミリ送信が行われる。
【００７９】
また、第１通信経路５は、画像形成装置２と端末装置４とを直接接続するための通信経路であるため、ＬＡＮ等のネットワークを経由するよりも簡便に、画像形成装置２から端末装置４にアドレスデータが送信される。例えば、第１通信経路５に用いられるＢｌｕｅｔｏｏｔｈ（登録商標）やＩｒＤＡ等の無線データ通信、及び、Ｆｅｌｉｃａ（登録商標）等の非接触型ＩＣカードによる通信は、画像形成装置２と端末装置４との間で自動的に確立される。そのことにより、ユーザによる接続作業が省け、ＬＡＮ等のネットワークを経由するよりも簡便に、画像形成装置２から端末装置４にアドレスデータが送信される。
【００８０】
また、端末装置４は、画像形成装置２から送信されたアドレスデータを用いて設定用ユーザインターフェースにアクセスして設定用ユーザインターフェースを取得する。そのため、設定用ユーザインターフェース用のプログラムが端末装置４に予めインストールされていなくても、端末装置４から画像形成装置２に対して、画像読み取り、印刷、又はファクシミリ送信の要求が行われる。
【００８１】
また、画像形成装置２の機能が拡張されたり追加されたりした場合であっても、設定用ユーザインターフェースを変更するだけで、拡張又は追加された機能は、端末装置４にて利用可能な状態となる。また、設定用ユーザインターフェースは端末装置４の種類に依存しないため、端末装置４の種類ごとに設定用ユーザインターフェースを用意する必要がない。
【００８２】
また、第１通信経路５を介して端末装置４の認証処理を行うことにより、認証されない端末装置４が第２通信経路６を介して画像形成装置２に接続することが防止される。これにより、画像形成装置２のセキュリティが向上する。また、第１通信経路５を介して認証処理を行うことにより、端末装置４の認証、及び、端末装置４によるアドレスデータの取得が、第１通信経路５を介した一連の処理で行われる。また、端末装置４の認証、端末装置４によるアドレスデータの取得、及び、端末装置４による設定用ユーザインターフェースの表示が、ユーザの一回の動作で行われる。
【００８３】
また、第１通信経路５を介して端末装置４に対して課金処理を行うことにより、端末装置４によるアドレスデータの取得、及び課金処理が、第１通信経路５を介した一連の処理で行われる。また、課金処理、端末装置４によるアドレスデータの取得、及び、端末装置４による設定用ユーザインターフェースの表示が、ユーザの一回の動作で行われる。さらに、第１通信経路５を介して認証処理及び課金処理を行うことにより、端末装置４の認証、端末装置４によるアドレスデータの取得、端末装置４による設定用ユーザインターフェースの表示、及び課金処理が、ユーザの一回の動作で行われる。
【００８４】
また、第２通信経路６の通信速度は、第１通信経路５の通信速度よりも速い。例えば、第１通信経路５としてのＢｌｕｅｔｏｏｔｈ（登録商標）の通信速度は１Ｍｂｐｓであり、Ｆｅｌｉｃａ（登録商標）の通信速度は１００Ｋｂｐｓである。これに対して、第２通信経路６としてのＷｉ−Ｆｉ（登録商標）の通信速度は１０Ｍｂｐｓである。そのため、第２通信経路６を介して入出力データの送受信を行うことにより、第１通信経路５を介してデータの送受信を行うよりも、より高速に入出力データが送受信される。例えば、画像読み取りによって生成された入出力データ、印刷対象の入出力データ、ファクシミリ送信対象の入出力データは、比較的容量が大きくなる場合があるが、第２通信経路６を介して入出力データの送受信を行うことにより、第１通信経路５を介するよりも、より高速に入出力データが送受信される。
【００８５】
また、第２通信経路６の通信エリアは、第１通信経路５の通信エリアよりも広い。例えば、第２通信経路６に用いられるＬＡＮやＷＡＮ等のネットワークの通信エリアは、第１通信経路５に用いられる無線データ通信及び非接触型ＩＣカードによる通信エリアよりも広い。そのため、第２通信経路６を介して入出力データを送受信することにより、第１通信経路５を介するよりも、より広い範囲で入出力データが送受信される。
【００８６】
（変形例）
次に、画像形成システム１の変形例について説明する。変形例においては、画像形成装置２は、設定用ユーザインターフェースにアクセスするためのアドレスデータの代わりに、設定用ユーザインターフェースのアプリケーション（以下、「ＵＩ用アプリケーション」と称する場合がある）を端末装置４に送信する。アドレスデータの代わりにＵＩ用アプリケーションを画像形成装置２から端末装置４に送信する以外の動作は、上述した実施形態と同じである。変形例においては、画像形成装置２から端末装置４に設定用ユーザインターフェースを提供しないため、画像形成装置２はＵＩ提供部２４を備えていなくてもよい。
【００８７】
変形例においては、画像形成装置２の記憶部２７に、ＵＩ用アプリケーションを予め記憶させておく。画像形成装置２の第１送受信部２５は、端末装置４の第１送受信部４１から第１通信経路５を介して送られた信号を検出すると、記憶部２７に記憶されているＵＩ用アプリケーションを、第１通信経路５を介して端末装置４に送信する。端末装置４の第１送受信部４１は、ＵＩ用アプリケーションを第１通信経路５を介して画像形成装置２から受信する。端末装置４の記憶部４３は、ＵＩ用アプリケーションを記憶する。
【００８８】
そして、端末装置４の制御部４６はＵＩ用アプリケーションを起動し、設定用ユーザインターフェースをＵＩ部４５に表示させる。ＵＩ部４５に表示される設定用ユーザインターフェースは、図２及び図３に示す設定用ユーザインターフェースと同じである。ユーザは、ＵＩ部４５に表示されている設定用ユーザインターフェースにおいて、画像形成装置２における画像読み取り、印刷、又はファクシミリ送信の動作条件を入力する。
【００８９】
設定用ユーザインターフェースにて動作条件が入力された後の画像形成システム１の動作は、上述した実施形態と同じである。例えば、画像形成装置２にて画像の読み取りを行う場合、端末装置４の第２送受信部４２は、画像読み取りに関する制御データを、第２通信経路６を介して画像形成装置２の第２送受信部２６に送信する。画像形成装置２の制御部３１は、制御データに従って画像読取部２１に画像読み取りの指示を出力する。画像読取部２１は、制御部３１の制御の下、原稿の画像を読み取って入出力データを生成する。画像形成装置２の第２送受信部２６は、画像読取部２１によって生成された入出力データを、第２通信経路６を介して端末装置４の第２送受信部４２に送信する。端末装置４の第２送受信部４２は、画像読取部２１によって生成された入出力データを、第２通信経路６を介して画像形成装置２の第２送受信部２６から受信する。ＵＩ部４５が入出力データの画像を表示してもよいし、記憶部４３が入出力データを記憶してもよい。
【００９０】
また、画像形成装置２にて印刷を行う場合、端末装置４の第２送受信部４２は、印刷に関する制御データと印刷対象の入出力データとを、第２通信経路６を介して画像形成装置２の第２送受信部２６に送信する。画像形成装置２の制御部３１は、制御データに従って印刷部２２に印刷の指示を出力する。印刷部２２は、制御部３１の制御の下、印刷対象の入出力データに基づいて画像を印刷する。ファクシミリ送信を行う場合、送信先を示す情報を含む制御データを、端末装置４から画像形成装置２に送信すればよい。
【００９１】
なお、上述した実施形態と同様に、課金部２９が課金処理を行ってもよいし、認証部３０が認証処理を行ってもよい。例えば、認証部３０によって端末装置４のユーザが認証された場合、第１送受信部２５は、ＵＩ用アプリケーションを第２通信経路６を介して端末装置４に送信する。
【００９２】
以上のように、変形例によると、画像形成装置２は、第１通信経路５を介して端末装置４にＵＩ用アプリケーションを送信する。端末装置４は、そのＵＩ用アプリケーションを実行することにより、画像読み取り、印刷、又はファクシミリ送信の要求を第２通信経路６を介して画像形成装置２に送信し、第２通信経路６を介して画像形成装置２との間で入出力データの送受信を行う。上述した実施形態と同様に、入出力データはサーバに一旦格納されずに、画像形成装置２と端末装置４との間で第２通信経路６を介して送受信される。そのため、サーバの設定やデータの送信先の設定を予め行わなくて済む。
【００９３】
また、端末装置４は、第１通信経路５を介してＵＩ用アプリケーションを取得する。そのため、ＵＩ用アプリケーションが端末装置４に予めインストールされていなくても、端末装置４から画像形成装置２に対して、画像読み取り、印刷、又はファクシミリ送信の要求が行われる。
【００９４】
（ハードウェア構成）
以上に例示した画像形成装置２の情報処理部分の構成は、例えば、汎用のコンピュータに上述の画像形成装置２の各部の機能又は処理内容を表すプログラムを実行させることにより実現される。コンピュータは、例えば、ハードウェアとして、ＣＰＵ等のマイクロプロセッサ、ランダムアクセスメモリ（ＲＡＭ）及びリードオンリメモリ（ＲＯＭ）等のメモリ、ＨＤＤ（ハードディスクドライブ）を制御するＨＤＤコントローラ、各種Ｉ／Ｏ（入出力）インターフェース、ＬＡＮ等のネットワークとの接続のための制御を行うネットワークインターフェース等が、例えばバスを介して接続された回路構成を有する。また、そのバスに対し、例えばＩ／Ｏインターフェース経由で、ＨＤＤ（ハードディスクドライブ）や、ＣＤやＤＶＤ等の可搬型ディスク記録媒体に対する読み取り及び／又は書き込みのためのディスクドライブや、フラッシュメモリ等の各種規格の可搬型の不揮発性記録媒体に対する読み取り及び／又は書き込みのためのメモリリーダライタ等が接続されてもよい。上述した画像形成装置２の各部の機能又は処理内容が記述されたプログラムが、ＣＤやＤＶＤ等の記録媒体を経由して、又はネットワーク等の通信経路を経由して、ハードディスクドライブ（ＨＤＤ）等の固定記憶装置に保存され、コンピュータにインストールされる。固定記憶装置に記憶されたプログラムがＲＡＭに読み出されＣＰＵ等のマイクロプロセッサによって実行されることにより、上述した画像形成装置２の各部の機能が実現される。例えば、画像形成装置２の制御部３１は、ＣＰＵ等のマイクロプロセッサで構成されている。また、ＵＩ提供部２４、課金部２９、及び認証部３０のそれぞれの機能は、対応するプログラムがＣＰＵ等のマイクロプロセッサによって実行されることにより実現される。
【符号の説明】
【００９５】
１  画像形成システム、２  画像形成装置、４  端末装置、５  第１通信経路、６  第２通信経路、２１  画像読取部、２２  印刷部、２３  ファクシミリ送信部、２４  ＵＩ提供部、２５，４１  第１送受信部、２６，４２  第２送受信部、２７，４３  記憶部、２８，４５  ＵＩ部、２９  課金部、３０  認証部、３１，４６  制御部、４４  カメラ。
【図１】
2018064283.tif 000003
【図２】
2018064283.tif 000004
【図３】
2018064283.tif 000005
【図４】
2018064283.tif 000006
【図５】
2018064283.tif 000007
【図６】
2018064283.tif 000008
【図７】
2018064283.tif 000009
【図８】
2018064283.tif 000010
【図９】
2018064283.tif 000011
【図１０】
2018064283.tif 000012
【図１１】
2018064283.tif 000013